(57)【要約】      （修正有）【課題】座椅子を折りたたみ式で軽量な構造にすると共に、背筋伸し器に兼用可能な座椅子を提供する。【解決手段】左右一対の支持脚４を備えた基体２と、背板１１の両側に側板１２を設けた背もたれ部３とから成り、両支持脚４の前端部に両側板１２の下端部が枢支軸２０を介して回動可能に軸支され、背板１１が両支持脚４に対して後方へ傾斜した姿勢で立設された座面のない座椅子１であって、両側板１２に左右一対の肘掛けアーム２１が回動支持機構を介して両側板１２の前方へ突出した使用位置から、両側板１２に沿って折りたたまれる収納位置まで回動可能に取り付けられており、両支持脚４の外側部に両肘掛けアーム２１の前端部と係合する係止受部１０が設けられており、両肘掛けアーム２１の前端部を係止受部１０に係合して両支持脚４に支持固定させた状態で、背板１１がその裏面を上向きにして後方へ傾斜した姿勢で立設され背筋伸しに使用できる。【選択図】図１
2011019739.tif 000002
【特許請求の範囲】
【請求項１】
床面に設置される左右一対の支持脚を備えた基体と、背板の両側に側板を設けた背もたれ部とから成り、前記両支持脚の前端部に前記両側板の下端部が枢支軸を介して回動可能に軸支され、前記両支持脚の上面に当接して、前記背板が前記両支持脚に対して後方へ傾斜した姿勢で立設され、該背板に上半身をあてがうだけで座ることができる座面のない座椅子であって、
前記両側板に左右一対の肘掛けアームが回動支持機構を介して、前記両側板の前方へ突出した使用位置から、前記両側板に沿って折りたたまれる収納位置まで回動可能に取り付けられており、
前記両支持脚の両端部分に、下面から上面まで延在する滑り止め部材が取り付けられ、
また、前記両支持脚の外側部に前記両肘掛けアームの前端部と係合する係止受部が設けられており、
前記背板を前記両支持脚の前方側へ反転させ、かつ、前記両肘掛けアームの前端部を前記係止受部に係合して前記両支持脚に支持固定させた状態で、該両支持脚の上面側を床面に設置させると、前記背板がその裏面を上向きにして前記両支持脚に対して後方へ傾斜した姿勢で立設され、該背板を背筋伸しに使用できる構成としたことを特徴とする背筋伸し器に兼用可能な座椅子。
【請求項２】
前記両肘掛けアームが前記両側板の前方へ突出した使用位置を保持した状態で、前記背板を前記両支持脚の前方側へ反転させたとき、前記両肘掛けアームの前端部が自動的に前記係止受部に係合する構成であることを特徴とする請求項１記載の背筋伸し器に兼用可能な座椅子。
【請求項３】
前記両支持脚の間に、座板が折りたたみ可能に収納されていて、該座板は、前記両支持脚の前方へ延出させて座面として使用できる構成であることを特徴とする請求項１又は２記載の背筋伸し器に兼用可能な座椅子。
【発明の詳細な説明】
【技術分野】
【０００１】
本発明は、使用者の上半身を床面から起こした姿勢で背中にあてがうだけで安定した姿勢で座らせることができる座面のない座椅子に関するものである。
【背景技術】
【０００２】
病人や寝たきりの人等の使用者の上半身を床面から起こした姿勢で背中にあてがうだけで、お尻を上げることなく楽に座らせることができる座面のない座椅子は、従来技術として知られている（例えば、特許文献１〜２参照）。
【０００３】
上記の座椅子は、基本的には、床面に設置される基体と、該基体の前端部に後方へ傾斜した姿勢で立設される背もたれ部とを備え、お尻を上げる必要がなく、上半身を前記背もたれ部にあてがうだけで座ることができる構成である。
【発明の概要】
【発明が解決しようとする課題】
【０００４】
本発明の課題は、上記のような構成を有する座椅子を折りたたみ式で、軽量な構造にすると共に、背筋伸し器として兼用でき、さらに座面を備えた座椅子とすることも可能な構成とした使用・取扱いに便利な背筋伸し器に兼用可能な座椅子を提供することにある。
【課題を解決するための手段】
【０００５】
上記の課題を解決するために、本発明は、床面に設置される左右一対の支持脚を備えた基体と、背板の両側に側板を設けた背もたれ部とから成り、前記両支持脚の前端部に前記両側板の下端部が枢支軸を介して回動可能に軸支され、前記両支持脚の上面に当接して、前記背板が前記両支持脚に対して後方へ傾斜した姿勢で立設され、該背板に上半身をあてがうだけで座ることができる座面のない座椅子であって、前記両側板に左右一対の肘掛けアームが回動支持機構を介して、前記両側板の前方へ突出した使用位置から、前記両側板に沿って折りたたまれる収納位置まで回動可能に取り付けられており、前記両支持脚の両端部分に、下面から上面まで延在する滑り止め部材が取り付けられ、また、前記両支持脚の外側部に前記両肘掛けアームの前端部と係合する係止受部が設けられており、前記背板を前記両支持脚の前方側へ反転させ、かつ、前記両肘掛けアームの前端部を前記係止受部に係合して前記両支持脚に支持固定させた状態で、該両支持脚の上面側を床面に設置させると、前記背板がその裏面を上向きにして前記両支持脚に対して後方へ傾斜した姿勢で立設され、該背板を背筋伸しに使用できる構成としたことを特徴とする。
【０００６】
前記両肘掛けアームが前記両側板の前方へ突出した使用位置を保持した状態で、前記背板を前記両支持脚の前方側へ反転させたとき、前記両肘掛けアームの前端部が自動的に前記係止受部に係合する構成であることが好ましい。
【０００７】
また、前記両支持脚の間に、座板が折りたたみ可能に収納されていて、該座板は、前記両支持脚の前方へ延出させて座面として使用できる構成とすることも可能である。
【発明の効果】
【０００８】
上記構成を有する本発明によれば、使用者の上半身を床面から起こした姿勢で背中に前記背板をあてがうだけで、お尻を上げることなく楽に座らせることができるだけでなく、前記背板を前記両支持脚の前方側へ反転させ、該両支持脚の上面側を床面に設置させると、前記背板を背筋伸しとして使用することができ、しかも、折りたたみ式で、軽量な構造であり、使用場所にも制約がないので、ベッドや敷布団の上でも簡単に使用することが可能である。したがって、本発明による座椅子は、病人や寝たきりの人等が使用するのに好適である。
【０００９】
また、請求項２に係る発明によれば、背筋伸し器として使用する際に好都合である。
【００１０】
さらに、請求項３に係る発明によれば、前記両支持脚の前方へ延出させて座面として使用する前記座板が、前記両支持脚の間に折りたたみ可能に収容されるので、座面のない座椅子として使用する場合と、背筋伸し器として使用する場合に、前記座板が邪魔にならない。
【図面の簡単な説明】
【００１１】
【図１】本発明に係る座椅子の座面のない使用状態を示す斜視図である。
【図２】同上座椅子の側面図である。
【図３】同上座椅子の平面図である。
【図４】同上座椅子の底面図である。
【図５】同上座椅子の中央縦断側面図である。
【図６】本発明に係る座椅子の支持脚部分を示しており、（ａ）は平面図、（ｂ）は側面図、（ｃ）は底面図である。
【図７】本発明に係る座椅子の背もたれ部を構成する側板を示しており、（ａ）は側板の内側面図、（ｂ）は側板の中央縦断面図、（ｃ）は側板の外側面図である。
【図８】本発明に係る座椅子の肘掛けアームの連結部分を示しており、（ａ）は肘掛けアームと側板との連結部分の断面図、（ｂ）は側板の取付け箇所を示す側面図、（ｃ）は肘掛けアームの連結箇所を示す側面図である。
【図９】本発明に係る座椅子の座板の取付け部分を示す要部縦断側面図である。
【図１０】図９の底面図である。
【図１１】本発明に係る座椅子の座板を用いた使用状態を示す斜視図である。
【図１２】本発明に係る座椅子を背筋伸し器として使用した状態を示す斜視図である。
【図１３】図１２の側面図である。
【図１４】本発明に係る座椅子を背筋伸し器として使用する場合の説明図である。
【図１５】本発明に係る座椅子の折りたたみ収納状態を示す側面図である。
【図１６】本発明に係る座椅子の使用態様を示しており、（ａ）は座面のない使用状態又は座板を用いた使用状態を示す斜視図、（ｂ）は背筋伸し器として使用した状態を示す斜視図、（ｃ）は背筋伸し器として使用した場合の別の使用態様を示す斜視図である。
【発明を実施するための形態】
【００１２】
以下、本発明の実施の形態を図面に基づいて説明する。
【００１３】
図１は、本発明に係る座椅子の座面のない使用状態を示している。該座椅子１は、床面に設置される基体２と、該基体２の前部に斜後方へ傾斜した姿勢で立設される背もたれ部３とを備えている。図示の実施形態においては、基体２と背もたれ部３はいずれも、木材を加工して製作されている。
【００１４】
基体２は、背もたれ部３の下端両側に取り付けられる左右一対の細長い支持脚４，４と、両支持脚４，４の中間部位を連結する連結板５とで構成されている。各支持脚４は、図６に良く示されているように、木製の角材を加工して作られ、前端部分に後述する背もたれ部３の側板１２を取り付ける枢支軸２０の取付孔６が横方向に貫通して設けられていると共に、後述する接合金物１６を係合する切込み溝７が前端面から後方へ向けて設けられている。また、支持脚４の前端部分と後端部分には、下面４ａから上面４ｂまで延在する滑り止め部材としてゴム板８，９が固着されている。さらに、支持脚４の中間部位に外側
方へ突出する係止受部１０が一体的に形成されている。該係止受部１０には、後述する肘掛けアーム２１の前端部を係合して支持させる凹部１０ａが支持脚４の下面４ａ側に開口して設けられている。
【００１５】
背もたれ部３は、薄い板材からなる背板１１と、該背板１１より厚い板材を加工して作られた左右両側板１２，１２とから成り、図５及び図７に示されているように、背板１１の両側縁を両側板１２，１２の内側面に設けた溝１２ａ，１２ａに嵌め合わせて構成されている。各側板１２は、下端部に幅拡部１３が形成されていると共に、中間部位に後述する肘掛けアーム２１を取り付けるための円弧状拡大部１４が設けられている。側板１２の幅拡部１３は平坦な底面１３ａを有し、該底面１３ａから幅拡部１３に設けた切込み溝１５に接合金物１６が嵌め込んでビス等で固着されている。接合金物１６は、金属板を打抜き加工して製作され、側板１２の切込み溝１５に嵌め込まれる本体１６ａと、該本体１６ａから前方へ延びる連結部１６ｂとを有し、該連結部１６ｂの前端部分に枢支軸２０の取付孔１７が設けられている。また、円弧状拡大部１４には後述する肘掛けアーム２１の取付孔１８が横方向に貫通して設けられている。
【００１６】
このように両側板１２，１２の下端部に固着された接合金物１６，１６の幅拡部１３より下方へ延びる連結部１６ｂ，１６ｂを両支持脚４，４の前端部分に設けた切込み溝７，７に係合し、合致した取付孔６と取付孔１７に枢支軸２０を挿通して、両支持脚４，４の前端部に背もたれ部３の両側板１２，１２の下端部が枢支軸２０，２０を介して回動自在に枢支され、両支持脚４，４に対して背もたれ部３が回動自在に組み付けられる。そして、図１に示すように、両側板１２，１２下端部の幅拡部１３の底面１３ａが両支持脚４，４の上面４ｂ，４ｂに当接し、背もたれ部３が後方へ傾斜した姿勢で立設された座面のない座椅子１としての使用状態になる。
【００１７】
次に、背もたれ部３の両側板１２，１２に取り付けられる肘掛けアーム２１，２１について説明する。該肘掛けアーム２１は、細長い棒状のアーム本体２２の基端部に側板１２の円弧状拡大部１４に対応する円弧状に形成された取付部２３を有している。図８は、側板１２と肘掛けアーム２１との連結部分を示しており、側板１２の円弧状拡大部１４の内側面には係止金具２４が固定されている。該係止金具２４は、円弧状拡大部１４に設けた取付孔１８に合致する通孔２５を有する金属製円板から成り、周辺部分を切り起こして係止爪片２６が設けられている。該係止金具２４は図示しないビス等の固着具で円弧状拡大部１４の内側面に固定される。一方、肘掛けアーム２１の取付部２３の内側面に設けた円形の空所部２７に係止金具２４と同様、金属製円板から成る係止金具２８が嵌め込んで固着されている。該係止金具２８は、係止金具２４の通孔２５と係止爪片２６に対応する通孔２９と係止爪片３０が設けられている。そして、図８（ａ）に示すように、係止金具２４と係止金具２８とが向き合うようにして、側板１２の円弧状拡大部１４に肘掛けアーム２１の取付部２３を組み付け、円弧状拡大部１４の取付孔１８、通孔２５、通孔２９及び取付部２３に設けた取付孔３１に連結ピン３２を挿通し、取付部２３の外側からねじ込んだ止めねじ３３を連結ピン３２の端部に止め付け、肘掛けアーム２１が連結ピン３２を介して側板１２の外側面に沿って回動自在に取り付けられる。このようにして両側板１２，１２に取り付けられた肘掛けアーム２１，２１は、図１に示すように、両側板１２，１２の前方へ突出した使用位置に回動したとき、図８に（ａ）に示すように、係止金具２４の係止爪２６と係止金具２８の係止爪片３０が当接係合して、支持固定される。一方、肘掛けアーム２１は側板１２に沿って折りたたまれる収納位置まで回動させることが可能になっている（図１５参照）。
【００１８】
図９及び図１０は、両支持脚４，４の間に折りたたみ可能に収納される座板４０の取り付け部分を示している。該座板４０は、可撓性連結帯片４３により連結された２板の扁平な板材４１，４２から成り、一方の板材４１の後端縁４１ａの両端部分がヒンジ機構４４，４４を介して両支持脚４，４の前端部内側に回動自在に連結支持されている。そして、他方の板材４２を連結帯片４３を介して板材４１に重ね合わせたとき、両板材４１，４２に装着したマグネット片４５，４５の吸着作用で重ね合せ状態に保持され、さらにヒンジ機構４４，４４を支点に両支持脚４，４の間で後方へ反転させ、折りたたみ収納位置に収納されるようになっている。この収納位置にあるとき、図１０に示されているように、座板４０は連結板５に取り付けた止めレバー４６で支持固定される。また、この収納位置にあるとき、座板４０は背もたれ部３の背板１１の後方に位置し、図１に示した座面のない座椅子１として使用する際に邪魔にならない。
【００１９】
一方、座板４０の両板材４１，４２を図９及び図１０に仮想線で示すように、展開して両支持脚４，４の前方へ延出させると、図１１に示すように、座板４０を座面として、座面を備えた座椅子として使用することができる。
【００２０】
図１２及び図１３は、上述した座椅子１を背筋伸し器５０として使用する状態を示している。背筋伸し器５０として使用するには、図１４に示すように、図１に示した座面のない座椅子１（座板４０が両支持脚４，４の間に折りたたみ収納されている）として使用する状態から、背板１１を含む背もたれ部３を矢印Ａに示すように枢支軸２０を支点に両支持脚４，４の前方側へ反転させ、肘掛けアーム２１の前端部２１ａを支持脚４の係止受部１０の凹部１０ａに係合して支持脚４に支持固定させた状態で、図１３に示すように、両支持脚４，４の上面４ｂ，４ｂ側を床面５５に設置させると、背もたれ部３の背板１１が、その裏面を上向きにして両支持脚４，４に対して後方へ傾斜した姿勢で立設され、該背板１１を背筋伸し器運動に使用できる状態になる。
【００２１】
一方、図１５に示すように、両肘掛けアーム２１，２１を係止受部１０の凹部１０ａから離脱して両側板１２，１２に沿う収納位置に回動させた後、両側板１２，１２を両支持脚４，４の下面４ａ，４ａ側へ折り重ねるように回動させると、コンパクトに折りたたんで収納可能になる。
【００２２】
図１６は、上述した本発明に係る座椅子の使用態様を示しており、図１６（ａ）は図１に示した座面のない座椅子１又は図１１に示した座板４０を座面として座椅子１として使用した態様を示している。このとき、両支持脚４，４の前端部分と後端部分に装着した滑り止め部材のゴム板８，９によって床面に対する滑り移動が確実に防止され、使用者の上半身を床面から起こした姿勢で背もたれ部３の背板１１に背中をあてがうだけで、安定した姿勢で楽に座らせることができる。
【００２３】
図１６（ｂ）（ｃ）は、図１３に示した背筋伸し器５０として使用した態様を示している。このとき、両支持脚４，４の前端部分と後端部分に装着した滑り止め部材のゴム板８，９の上面４ｂ側に延在するゴム板部分によって床面に対する滑り移動が確実に防止され、安定した姿勢で背筋伸しが行なえる。特に、図１６（ｃ）のように、背筋伸しと同時に腰伸しのストレッチに使用する際、両支持脚４，４の前端部分が床面から浮き上がっても、両支持脚４，４の後端部分に装着した下面４ａから上面４ｂまで延在するゴム板９，９によって、床面に対する滑り移動を効果的に防止することができるので、好都合である。
【産業上の利用可能性】
【００２４】
本発明に係る座椅子は、特に病人や寝たきりの人等がベッド又は敷布団の上で使用するのに適している。
【符号の説明】
【００２５】
１  座椅子
２  基体
３  背もたれ部
４  支持脚
５  連結板
８，９  ゴム板（滑り止め部材）
１０  係止受部
１０ａ  凹部
１１  背板
１２  側板
１６  接合金物
２０  枢支軸
２１  肘掛けアーム
２２  アーム本体
２３  取付部
４０  床板
４１，４２  板材
４３  可撓性連結帯片
５０  背筋伸し器
【先行技術文献】
【特許文献】
【００２６】
【特許文献１】実開昭６１−６７７２６号公報
【特許文献２】特開２００７−１０５４２０号公報
【図１】
2011019739.tif 000003
【図２】
2011019739.tif 000004
【図３】
2011019739.tif 000005
【図４】
2011019739.tif 000006
【図５】
2011019739.tif 000007
【図６】
2011019739.tif 000008
【図７】
2011019739.tif 000009
【図８】
2011019739.tif 000010
【図９】
2011019739.tif 000011
【図１０】
2011019739.tif 000012
【図１１】
2011019739.tif 000013
【図１２】
2011019739.tif 000014
【図１３】
2011019739.tif 000015
【図１４】
2011019739.tif 000016
【図１５】
2011019739.tif 000017
【図１６】
2011019739.tif 000018